(57)【要約】【課題】目的や使用箇所に応じて様々な形態で利用できる多機能ディスプレイボックスを提供する。【解決手段】物品を展示するために用いられるディスプレイボックスであって、押し出し成形により製造されて底壁及びこれと一体に連なる一対の側壁を備えた断面略コ字形状のチャンネル構造体と、チャンネル構造体の両開放端面を塞ぐ一対の端板とを備え、側壁の外側面には、上端縁において下向きに開放する上保持溝と、下端縁において上向きに開放する下保持溝が形成されることで上保持溝及び下保持溝に側壁の外側に位置する側面化粧板が取り替え可能に保持できるようにされ、かつ、少なくとも一対の端板の一方は上保持溝及び下保持溝の開放端面を覆ってチャンネル構造体に着脱可能に取り付けられる。【選択図】図２
2012095745.tif 000002
【特許請求の範囲】
【請求項１】
物品を展示するために用いられるディスプレイボックスであって、
押し出し成形により製造されて底壁及びこれと一体に連なる一対の側壁を備えた断面略コ字形状のチャンネル構造体と、前記チャンネル構造体の両開放端面を塞ぐ一対の端板とを備え、
前記側壁の外側面には、上端縁において下向きに開放する上保持溝と、下端縁において上向きに開放する下保持溝が形成されることで前記上保持溝及び下保持溝に前記側壁の外側に位置する側面化粧板が取り替え可能に保持できるようにされ、かつ、少なくとも前記一対の端板の一方は前記上保持溝及び下保持溝の開放端面を覆って前記チャンネル構造体に着脱可能に取り付けられる多機能ディスプレイボックス。
【請求項２】
前記一対の側壁の各内側面には、それぞれ上端付近に、前記チャンネル構造体の長手方向に延びる２本のリブが上下に所定の間隔を隔てて設けられ、前記リブ間に補助天板を差込み保持できるようにされていることを特徴とする請求項１に記載の多機能ディスプレイボックス。
【請求項３】
前記チャンネル構造体の底壁には、多機能ディスプレイボックスを吊り下げるための吊りワイヤに連結されたワイヤ連結具を保持するための連結具保持溝が前記チャンネル構造体の長手方向に沿って、かつ、前記チャンネル構造体の上方に向かって開口するように形成され、前記連結具保持溝の開口幅は溝内よりも狭くされていることを特徴とする請求項１または２に記載の多機能ディスプレイボックス。
【請求項４】
前記補助天板には、前記吊りワイヤを微小隙間を残して挿通させるワイヤ貫通孔が設けられていることを特徴とする請求項３に記載の多機能ディスプレイボックス。
【請求項５】
前記ワイヤ連結具は前記吊りワイヤを固定しつつ下方に貫通させるワイヤ貫通孔を有し、前記チャンネル構造体の前記連結具保持溝の底部には前記ワイヤ連結具から下向きに貫通した前記吊りワイヤを貫通させる貫通孔が設けられていることを特徴とする請求項３または請求項４に記載の多機能ディスプレイボックス。
【請求項６】
前記チャンネル構造体の底壁には前記チャンネル構造体の長手方向に沿って、かつ、前記チャンネル構造体の下方に向かって開口する補助溝部が設けられており、この補助溝部の開口幅はその溝部内の幅よりも幅狭とされていることを特徴とする請求項１ないし請求項５のいずれか一項に記載の多機能ディスプレイボックス。
【発明の詳細な説明】
【技術分野】
【０００１】
本発明は、様々な形態で利用できる多機能ディスプレイボックスに関する。
【背景技術】
【０００２】
一般的に、家庭やオフィス、店舗等で小物や植物を飾ったり、写真やポスターを展示したりする場合には、その都度目的に応じて飾りや展示物に合った飾り棚や飾り箱、展示パネル等が用意され、使用されている。
【０００３】
しかし、飾りや展示物を取り替えたり、場所を移動させたい場合等、上述したように、その飾りや展示物に合わせて揃えられた飾り棚や飾り箱、展示パネル等は他の用途に転用できなかったり、移動させた場所のインテリアに合わなかったり、また壁に取り付けた棚等は容易に移動できなかったりして、今ひとつ便利ではない。また、その都度買い揃えたり使い捨てたりするのは、コストがかかる上、環境にも好ましくない。
【先行技術文献】
【特許文献】
【０００４】
【特許文献１】特開２００５−３４３２９号公報
【発明の概要】
【発明が解決しようとする課題】
【０００５】
本発明は上記のような事情に基づいて完成されたものであって、目的や使用箇所に応じて様々な形態で利用できる多機能ディスプレイボックスを提供することを目的とする。
【課題を解決するための手段】
【０００６】
上記課題を解決するためになされた本願発明は、物品を展示するために用いられる多機能ディスプレイボックスであって、押し出し成形により製造されて底壁及びこれと一体に連なる一対の側壁を備えた断面略コ字形状のチャンネル構造体と、前記チャンネル構造体の両開放端面を塞ぐ一対の端板とを備え、前記側壁の外側面には、上端縁において下向きに開放する上保持溝と、下端縁において上向きに開放する下保持溝が形成されることで前記上保持溝及び下保持溝に前記側壁の外側に位置する側面化粧板が取り替え可能に保持できるようにされ、かつ、少なくとも前記一対の端板の一方は前記上保持溝及び下保持溝の開放端面を覆って前記チャンネル構造体に着脱可能に取り付けられるところに特徴を有する。
【発明の効果】
【０００７】
本願発明の多機能ディスプレイボックスによれば、チャンネル構造体の一対の側壁の外側面に様々な種類の側面化粧板を保持させることができるから、単に飾りや展示物等をディスプレイするだけのものとしてではなく、他の機能を併せて持たせることができる。例えば、多機能ディスプレイボックスの中に植物を入れて植木鉢カバーとして利用する一方、側面化粧板としてマーカーグリーンボードを使用した場合には、そこに文字を書き込んだり、マグネットでメモ等を取り付けることが可能となる。あるいは、例えば多機能ディスプレイボックスの中に化粧品等を差し込んでディスプレイまたは収納する場合には、側面化粧板として鏡を取り付けておけば、その場で容姿をチェックすることができる。さらに、側面化粧板として透明な表面カバーを使用して、側壁との間に広告や好みの絵画、写真等を挟みこむことにより、それらを多機能ディスプレイボックス自体に一体に飾ることができる。
【０００８】
また、側面化粧板は多機能ディスプレイボックスの一対の両側壁の外側面に保持可能であるから、多機能ディスプレイボックスを机の端や部屋の端だけで利用するに留まらず、例えば机の上で場所の仕切として使用したり、部屋の空間内で天井から吊り下げて使用することもでき、両面側から視覚的に、あるいは、機能的に楽しんだり利用したりすることができる。
【０００９】
また、多機能ディスプレイボックスは断面略コ字形状のチャンネル構造体とその両開放端面を塞ぐ一対の端板との別部品で構成されているから、チャンネル構造体を例えばアルミニウムの押し出し成形により製造することができ、生産コストが安価である。また、端板により上下の保持溝の開放端面を塞ぐことができるから、使用中に側面化粧板が外れないようにしつつ、側面化粧板を簡単に交換することができる。
【００１０】
また、チャンネル構造体の一対の側壁の各内側面の上端付近に、チャンネル構造体の長手方向に延びる２本のリブを上下に所定の間隔を隔てて設けているから、そのリブ間に補助天板を差込み保持させたり、上方のリブ間に渡して補助天板を支持させることができる。リブ間に補助天板を差込み保持させる場合には、その補助天板は端板を取り外さない限り抜き出すことができないから、補助天板をしっかりとチャンネル構造体に固定したい時に好都合である。また、上方のリブ間に渡して補助天板を載置した場合には、補助天板を容易に着脱できるから、補助天板を頻繁に取り付けたり、取り外したりする場合に好都合である。いずれにしても、その補助天板上に展示品を載置することができるから、補助天板なしに多機能ディスプレイボックス内に展示品を差し込むようにして保持させる展示態様と併せて、多様な展示態様を可能にできる。
【００１１】
また、チャンネル構造体の底壁にその長手方向に沿って、かつ、上方に向かって開口する連結具保持溝を、その開口幅が溝内よりも狭くなるように形成し、ここに吊りワイヤに連結されたワイヤ連結具を保持させることにより、多機能ディスプレイボックスを天井から吊り下げて使用することもできる。また、このような構成とすることにより、吊りワイヤと多機能ディスプレイボックスとの連結点を、多機能ディスプレイボックスの長手方向に沿って自由に調整することができるから、展示品の重量や設置位置に応じて自由にバランスをとることができる。しかも、吊りワイヤの連結具はチャンネル構造体の底面近くに位置することになるから、外部からは見えにくく、見栄えを良くすることができる。
【００１２】
また、補助天板に微小隙間を残して吊りワイヤを挿通させるワイヤ貫通孔を設け、そこに吊りワイヤを貫通させた状態で多機能ディスプレイボックスを吊り下げると、吊りワイヤの変位がワイヤ貫通孔部分で拘束されることになる。この拘束点は、多機能ディスプレイボックスの重心よりも高い位置となるので、多機能ディスプレイボックスを吊り下げた際の安定性が増す。
【００１３】
また、ワイヤ連結具が吊りワイヤを固定しつつ下方に貫通させるワイヤ貫通孔を有しており、チャンネル構造体の連結具保持溝の底部にワイヤ連結具から下向きに貫通した吊りワイヤを貫通させる貫通孔が設けられている場合には、吊りワイヤの長さによらず、多機能ディスプレイボックスを吊りワイヤに対して自由に上下動させてその高さを調節することが可能となる。また、１本の吊りワイヤに複数の多機能ディスプレイボックスを取り付け、上下方向に連結させて使用することが可能となる。
【００１４】
さらに、チャンネル構造体の底壁に下方に向かって開口する補助溝部を設け、この補助溝部の開口幅をその溝部内の幅よりも幅狭としておくことにより、補助溝部にナット等を嵌め込んでおいて多機能ディスプレイボックスの下面側に物品を固定したり、補助溝部に他の物品の吊り下げ用のフック等を保持させることができ、一層、多様な使い方ができるようになる。
【００１５】
このように本発明の多機能ディスプレイボックスは、用途に応じて様々な形態で使用することができ、便利である。
【図面の簡単な説明】
【００１６】
【図１】本発明の実施形態１のディスプレイボックスの斜視図
【図２】同じくディスプレイボックスの一部拡大分解斜視図
【図３】同じくディスプレイボックスの一部拡大分解斜視図
【図４】同じく図１のチャンネル構造体と端板との嵌合部位の断面図
【図５】同じく図１のＡ−Ａ断面図
【図６】本発明の実施形態２のディスプレイボックスの使用例を示す斜視図
【図７】同じく図６のＢ−Ｂ断面図
【図８】本発明の実施形態３のディスプレイボックスの使用例を示す斜視図
【図９】同じくディスプレイボックスを壁面に取り付けた場合の断面図
【図１０】本発明の実施形態４のディスプレイボックスの使用例を示す一部拡大断面図
【発明を実施するための形態】
【００１７】
＜実施形態１＞
本発明の実施形態１を図１ないし図５によって説明する。
図１は本実施形態のディスプレイボックス１０の斜視図、図２および図３は一部拡大分解斜視図である。このディスプレイボックス１０は、図１に示すように、全体として上面が開放された直方体形状をなし、天井から一対のワイヤ４０，４０によって吊り下げて使用可能な形態のものである。
【００１８】
ディスプレイボックス１０は、図２に示すように、底壁１２Ｂおよびこれと一体に連なる長尺の一対の側壁１２Ａ、１２Ａからなる断面略コ字形状のチャンネル構造体１２と、このチャンネル構造体１２の両開放端面を塞ぐように着脱可能に取り付けられる一対の端板２０、２０とからなる。
チャンネル構造体１２のうち、一対の側壁１２Ａ、１２Ａの上端縁および下端縁は延出されて外側に向かってコ字形状に折り返されており、後述するようにマーカーグリーンボード３０（本発明の側面化粧板に相当）の上下端部を保持可能な、下向きに開放する上保持溝１３Ａと、上向きに開放する下保持溝１３Ｂとされている。なお、両保持溝１３Ａ，１３Ｂのうち一方の、例えば下保持溝１３Ｂは上保持溝１３Ａより深い溝寸法となっているとともに、両保持溝１３Ａ，１３Ｂの内側壁には、一対の凸部１３Ｃ、１３Ｃが対向するように設けられている（図４参照）。
【００１９】
チャンネル構造体１２の底壁１２Ｂは、側壁１２Ａ、１２Ａの下端縁よりも若干高い位置に設けられており、側壁１２Ａ、１２Ａとの当接部に形成される角部のうち下側に位置する角部には、端板２０をチャンネル構造体１２の開放端面に固定するためのビス３５を受け入れる一対の嵌合孔１４、１４がチャンネル構造体の長手方向に沿って全体に設けられている。この嵌合孔１４は一部に切れ目を有しており、断面Ｃ字形状とされている。
【００２０】
また、底壁１２Ｂの幅方向の中心には、チャンネル構造体１２の長手方向に沿って、かつ、上方に向かって開口する連結具保持溝１５が、底壁１２Ｂから下方に凹状に窪むように設けられている。この連結具保持溝１５の開口１５Ａは、チャンネル構造体１２の底壁１２Ｂが連結具保持溝１５の一部に両側から被さるように延出されることにより、連結具保持溝１５内の幅より狭くなるように構成されている。
【００２１】
また、底壁１２Ｂの下面側には、２つの補助溝部１６，１７が、チャンネル構造体１２の長手方向に沿って、かつ、下方に向かって開口するように設けられている。一方の補助溝部１６は、上記連結具保持溝１５の裏側に連結具保持溝１５と同幅となるように設けられているとともに、他方の補助溝部１７は、補助溝部１６に隣接して、かつ、補助溝部１６よりもその幅および深さが大となるように設けられている。これらの補助溝部１６、１７の開口１６Ａ、１７Ａは、各補助溝部１６，１７の側壁の先端を内側にＬ字形状に折り曲げる様に形成されることにより、上記連結具保持溝１５と同様に、各補助溝部１６，１７の溝幅より狭くなるように形成されている。また、これらの補助溝部１６，１７は、側壁１２Ａの下端縁よりも上方に位置するように設定されており、横方向からは見えないようになっている。
【００２２】
さらに、チャンネル構造体１２の両側壁１２Ａ、１２Ａの内側面の上端部付近には、側壁１２Ａの長手方向に平行に伸びる２本のリブ１８、１８が上下方向に所定の間隔を隔てて、対向するように設けられている（合計４本）。
上述した形状のチャンネル構造体１２はアルミニウム合金からなり、押し出し成型により製造されている。
【００２３】
一方、前述した端板２０はプラスチック製であり、チャンネル構造体１２の上保持溝１３Ａおよび下保持溝１３Ｂを含むチャンネル構造体１２の開放端面を塞ぐ概ね正方形状をなしており、上記ディスプレイボックス１０の一対の側壁１２Ａ、１２Ａとは異なる他方の一対の側壁を構成している。この端板２０の下端側の角部付近のうち、上記チャンネル構造体１２の嵌合孔１４に対向する位置には、端板２０をチャンネル構造体１２に固定するためのビス３５、３５を通す一対のビス孔２１、２１が設けられている。また、図３に示すように、端板２０うちチャンネル構造体１２に対向する面側には、チャンネル構造体１２の一対の側壁１２Ａ、１２Ａの内側面に密着しながら嵌合するための一対の嵌合リブ２２、２２と、底壁１２Ｂの外側面に密着しながら嵌合するための嵌合リブ２３、２３と、チャンネル構造体１２の上端部付近に位置してその両端部がチャンネル構造体１２のリブ１８，１８間に嵌合する嵌合リブ２４とが、表面から突出して設けられている。これらのリブのうち嵌合リブ２４は、全体が横長のＨ字形状とされており、その両端部の縦幅がちょうど上下に位置するリブ１８，１８の間隔と同等となるように設定されている。図４は、端板２０をチャンネル構造体１２に取り付けた際に、端板２０の各嵌合リブ２２，２３，２４がチャンネル構造体１２に嵌合した状態を示す断面図である。
【００２４】
また、チャンネル構造体１２のリブ１８、１８の間には、チャンネル構造体１２の上部開放面の一部を塞ぐように補助天板２５が差込み保持されている（図１および図５参照）。この補助天板２５は、チャンネル構造体１２と同幅とされており、その幅方向の中心に吊りワイヤ４０を貫通させるためのワイヤ貫通孔２６が形成されている。このワイヤ貫通孔２６は、吊りワイヤ４０の直径よりやや大きい直径の孔とされており、吊りワイヤ４０が貫通された際には吊りワイヤ４０との間にほんの僅かな微小隙間を形成するようになっている（図５参照）。
【００２５】
上述した本実施形態のディスプレイボックス１０は、以下のようにして使用される。まず、チャンネル構造体１２の側壁１２Ａとほぼ同じ大きさのマーカーグリーンボード３０を、チャンネル構造体１２の開放端面側からその上下端部が上保持溝１３Ａおよび下保持溝１３Ｂの間に挟まれるように差し込んで嵌め込む。この時、各保持溝１３Ａ、１３Ｂの底部に予めゴム製のパッキン３１を取り付けておくことにより、マーカーグリーンボード３０のがたつきを防止することができる。本実施形態では各保持溝１３Ａ，１３Ｂ内に収まる断面Ｕ字形状のパッキン３１を用いており、その外面には一対の凸部３１Ｃが設けられて、各保持溝１３Ａ，１３Ｂの内壁に当接されている（図４参照）。
【００２６】
次に、図２に示すように、吊りワイヤ４０の一端部に汎用のワイヤ連結具４１を取り付ける。このワイヤ連結具４１は、吊りワイヤ４０を抜け止めおよび解放可能な円筒状の金具であって、本体４２から突出したピン４３内のワイヤ貫通孔（図示せず）に吊りワイヤ４０を差し込む際には吊りワイヤ４０はスムーズに進入するが、逆に引き抜く際には吊りワイヤ４０がワイヤ連結具４０の内部機構によりロックされ、引き抜けない構成となっている。ロックはピン４３を本体４２側に押し入れることにより解除されるので、吊りワイヤ４０をワイヤ連結具４１から引き抜く際には、ピン４３を本体４２側に押し入れつつ引き抜けばよい。また、本体４２のうちピン４３とは反対側の端部には、ナット４５を取り付けるための軸部４４が吊りワイヤ４０を貫通可能に設けられており、ここにナット４５が螺合されている。
【００２７】
このワイヤ連結具４１に吊りワイヤ４０の一端を挿入して抜け止め状態とした後、吊りワイヤ４０の他端を補助天板２５のワイヤ貫通孔２６に貫通させる。そして、チャンネル構造体１２の開放端面からワイヤ連結具４１の下端のナット４５を連結具保持溝１５内にスライドさせて嵌め込むとともに、補助天板２５をリブ１８，１８の間に差し込む。この時、ワイヤ連結具４１の軸と補助天板２５のワイヤ貫通孔２６とが、垂直方向に同位置となるようにしておく。図５はその様子を示しており、ワイヤ連結具４１は軸部４４が連結具保持溝１５の開口１５Ａ内を通過する一方、軸部４４より径大のナット４５は幅狭の開口１５Ａにより連結具保持溝１５内に抜け止め状態とされる。
またこの時、吊りワイヤ４０は補助天板２５に貫通されていることにより、ディスプレイボックス１０の下端と上端付近でその変位が拘束されるようになっているから、正規姿勢に保持され易い。また、上端付近の拘束点はディスプレイボックスの重心よりも高い位置であるので、ディスプレイボックス１０の吊り下げ時の安定性が増す。
【００２８】
次に、端板２０をチャンネル構造体１２の開放端面に宛い、ビス３５をビス孔２１および嵌合孔１４にねじ込むことにより、チャンネル構造体１２に取り付ける。この状態では、上述したように、端板２０に設けられた各嵌合リブ２２，２３，２４がチャンネル構造体１２に嵌合されるとともに、チャンネル構造体１２の端面および上下の保持溝１３Ａ，１３Ｂの端面が端板２０により塞がれた状態となる。このような状態で、本実施形態のディスプレイボックス１０を天井から所望の場所に吊り下げる。
【００２９】
上述した本実施形態のディスプレイボックス１０によれば、ディスプレイボックス内１０に植木鉢等を収納して植物を飾ることができるだけでなく、ディスプレイボックス１０の両面にマーカーグリーンボード３０が取り付けられているので、ここに文字を書き込んだり、マグネットでメモを貼り付けたりすることが可能である。もちろん、化粧板としてはマーカーグリーンボード３０を取り付けるに限らず、模様がプリントされた化粧板や鏡を取り付けるようにしてもよい。
【００３０】
また、吊りワイヤ４０は単にディスプレイボックス１０の側壁１２Ａの上端面に取り付けるのではなく、連結具保持溝１５に保持されたワイヤ連結具４１を介してディスプレイボックス１０の底壁１２Ｂから引き出す構成であるから、ワイヤ連結具４１を連結具保持溝１５内で移動させることにより、吊りワイヤ４０をディスプレイボックス１０の長さ方向のうち所望の位置に調整することができる。さらに、デザイン性にも優れている。しかも、吊りワイヤ４０はディスプレイボックス１０の底壁１２Ｂにおいて連結されながらも、補助天板２５を貫通させることにより、ディスプレイボックス１０の重心よりも高い位置でその変位が拘束される構成であるから、例えば吊り下げられたディスプレイボックス１０にこれを揺らすような力が加わった場合でも、揺動振幅が大きくなることを抑えることができる。
＜実施形態２＞
【００３１】
本実施形態は、上述したディスプレイボックス１０とほぼ同じ構成のディスプレイボックス５０を、天井からそれぞれ一定の間隔をおいて縦方向に複数個連結した状態で吊り下げた例を示すものである。図６はその様子を斜視図で示したものである。
【００３２】
本実施形態のディスプレイボックス５０は、上記実施形態１のディスプレイボックス１０と１箇所だけ異なる構成とされており（上記実施形態１と同様の部分は同符号を付す）、図７に示すように、連結具保持溝１５の底部に、吊りワイヤ４０を貫通させるための貫通孔１９が設けられている。この貫通孔１９は、図６からわかるように、チャンネル構造体１２の底壁１２Ｂの長さ方向の両端部付近に一対設けられており、ワイヤ連結具４１はその軸が貫通孔１９と一致する位置に取り付けられる。また、補助天板２５も、そのワイヤ貫通孔２６が連結具保持溝１５の貫通孔１９と一致する位置に取り付けられる。
【００３３】
本実施形態では、補助天板２５は、ディスプレイボックス１０の開放面の最も端に設置した際に、そのワイヤ貫通孔２６と底壁１２Ｂの貫通孔１９との位置が一致するように予め設定されている。
【００３４】
本実施形態のディスプレイボックス５０は、上記実施形態１と同様に組み立てるのであるが、ワイヤ連結具４１は図示しないワイヤ貫通孔を有しており、吊りワイヤ４０の端部だけでなく吊りワイヤ４０の中間部にも取付可能（吊りワイヤ４０を貫通可能）な構成である。すなわち、上述したように吊りワイヤ４０を簡単に抜け止めおよび解放可能であるから、ワイヤ連結具４１を操作しながら各ディスプレイボックス５０の高さを容易に調節することができる。
【００３５】
本実施形態のディスプレイボックス５０によれば、連結具保持溝１５の底部に貫通孔１９を設けたことにより、一対の吊りワイヤ４０、４０で複数個のディスプレイボックス５０を連結して使用することができるという効果が得られる。また、用途に応じて吊りワイヤ４０の所望の位置（高さ）にディスプレイボックス１０を設置できるため、便利である。
＜実施形態３＞
【００３６】
本実施形態は、ディスプレイボックス１０の構成は上記実施形１と全く同じであるが、使用形態が異なる例を示すものである。図８がその斜視図であって、壁面Ｗにディスプレイボックス１０の取付板６０を設置し、この取付板６０にディスプレイボックス１０を引っ掛けて使用する形態を示している。このような形態で使用する場合には、グリーンマーカーボード３０は視認可能な一方の側壁１２Ａだけに取り付けられる。
【００３７】
取付板６０は、長方形の板状部材の上端縁および下端縁を一段の階段状に同方向に折り曲げた形状をなしており、その先端がディスプレイボックス１０の上下の保持溝１３Ａ、１３Ｂに係止可能な係止片６１とされている（図９参照）。なお、上端縁の係止片６１Ａは下端縁の係止片６１Ｂよりもその長さが短く設定されている。また、取付板６０の長手方向に沿って２つの取付孔６２，６２が設けられており、この取付孔６２にビス６３を貫通させて壁面Ｗに取り付ける構成とされている。
【００３８】
この取付板６０にディスプレイボックス１０を取り付ける際には、まず、ディスプレイボックス１０を上側が手前になるように少し傾けて下端縁の下保持溝１３Ｂの先端を係止片６１Ｂと壁面Ｗとの間に差し込み、持ち上げつつ正規姿勢（垂直）に戻す。すると、上端縁の上保持溝１３Ａの外側面が壁面Ｗに当接するので、そのままゆっくり下に降ろす。すると、図９に示すように、ディスプレイボックス１０の上保持溝１３Ａおよび下保持溝１３Ｂが取付板６０の係止片６１Ａ，６１Ｂに引っ掛かった状態で、壁面Ｗに取り付けられる。
【００３９】
本願発明のディスプレイボックスは、本実施形態のように、壁に掛けて使用することも可能である。
＜実施形態４＞
【００４０】
本実施形態のディスプレイボックスは、ディスプレイボックス１０の下面を利用する形態のものである。図１０はディスプレイボックス１０の底壁１２Ｂの一部拡大断面図であって、補助溝部１７にフック７０を取り付けた場合を示している。フック７０は汎用のものであって、Ｊ字形状の吊り下げ部７１の基部７２は円盤の両端部を平行に切り取った形状をなしており、その長手方向の長さ（もとの円盤の直径）が補助溝部１７の溝幅とほぼ同等で、短い方の幅が補助溝部１７の開口１７Ａの幅とほぼ同等とされている、また、この基部７２は、吊り下げ部７１に対して回動可能となっているが、基部７２と吊り下げ部７１との間には軸部７３を介してねじ部７４が設けられており、このねじ部７４を締めて基部７２とねじ部７４とで補助溝部１７の開口１７Ａを挟持することにより、基部７２の回動を規制して、フック７０をディスプレイボックス１０の下面側に固定させるようになっている。
【００４１】
このフック７０をディスプレイボックス１０に取り付ける場合には、基部７２の長手方向を補助溝部１７の長手方向に合わせ、補助溝部１７内に進入させた後、９０度回転させて開口１７Ａに引っ掛け、抜け止め状態とする。そしてその後、ねじ部７４を回転させて締めることにより、ディスプレイボックス１０の補助溝部１７に対して固定状態とする。
【００４２】
さらに、補助溝部１６内に、予めナット７５を嵌めておくようにしてもよい（図１０参照）。このようにしておくと、後から何か部品を取り付けたくなった場合に、ナット７５を利用して所望の部品を取り付けることができるからである。
【００４３】
このように、本実施形態のディスプレイボックスの使用方法によれば、上記効果に加え、ディスプレイボックス１０の下面を利用することができるから、さらに用途のバリエーションが広がる。
＜他の実施形態＞
本発明は上記記述及び図面によって説明した実施形態に限定されるものではなく、例えば次のような実施形態も本発明の技術的範囲に含まれる。
【００４４】
（１）上記実施形態では、多機能ディスプレイボックスを天井から吊り下げて使用する形態、および、壁に掛けて使用する形態を示したが、これに限らず、机や棚の上に置いて使用してもよい。
【００４５】
（２）上記実施形態では、ディスプレイボックスを上面が開放した箱形の形態で使用する例を示したが、これに限らず、例えばリブ１８を利用してディスプレイボックス１０の上面の一部あるいは全面を補助天板２５によって塞ぎ、その補助天板２５の上に例えばメガネ等、高さが低い物品を展示したり、写真立てのように全面を見せたいものを飾ったりしてもよい。このように使用する場合、ディスプレイボックス１０の上保持溝１３Ａは補助天板２５の上面から若干立ち上がった状態となるので、これが滑り止めとなって、飾ったものが滑り落ちることが防止される。
【００４６】
（３）上記実施形態では、側面化粧板としてマーカーグリーンボード３０を使用する構成を示したが、これに限らず、鏡やポスター、アクリル板、壁紙等、用途に応じて種々の側面化粧板を使用することができる。
【符号の説明】
【００４７】
１０、５０...ディスプレイボックス
１２...チャンネル構造体
１２Ａ...側壁
１２Ｂ...底壁
１３Ａ...上保持溝
１３Ｂ...下保持溝
１５...連結具保持溝
１５Ａ...開口
１６、１７...補助溝部
１６Ａ、１７Ａ...開口
１８...リブ
１９...貫通孔
２０...端板
２５...補助天板
２６...ワイヤ貫通孔
３０...マーカーグリーンボード（側面化粧板）
４０...吊りワイヤ
４１...ワイヤ連結具
６０...取付板
７０...フック
７５...ナット
【図１】
2012095745.tif 000003
【図２】
2012095745.tif 000004
【図３】
2012095745.tif 000005
【図４】
2012095745.tif 000006
【図５】
2012095745.tif 000007
【図６】
2012095745.tif 000008
【図７】
2012095745.tif 000009
【図８】
2012095745.tif 000010
【図９】
2012095745.tif 000011
【図１０】
2012095745.tif 000012